(57)【要約】【課題】机（卓）での映像音響操作機器やコンピュータの周辺機器等の操作性の向上を図る。【解決手段】外枠３には、設置機器を搭載して固定してある内枠５が組み込んであり、その内枠３（内枠体）から外枠５に向けて突出して設けられた移動軸７が、外枠３の長孔部３２ａに組み込まれた溝付き板９の溝部９３内に入り溝部９３内を移動し、その移動軸７の移動に際し、溝部９３内には移動軸７が一方向へ移動するように案内部が設けられており、その案内部に沿って移動することで、溝付き板９が外枠３の長孔部３２ａ内を移動し、溝部９３に設けた二箇所の谷部（或いは山部）に移動軸７が入り設置機器の使用位置及び収納位置を実現する昇降装置１を提供する。【選択図】図１
2008006114.tif 000002
【特許請求の範囲】
【請求項１】
設置機器の操作面に対しての側方の面に取り付けられ、側方の前記面の少なくとも一つの面より前記設置機器の外方に突出した移動軸と、
該移動軸が移動するための溝部が表面に設けられた溝付き板と、
該溝付き板が組み込まれ、前記溝付き板が前記設置機器の側方方向に沿って移動するための孔部が設けられ、前記設置機器の前記操作面に対しての側方の前記面を囲む外枠と、を備えたことを特徴とする昇降装置。
【請求項２】
設置機器の操作面に対しての側方の面を囲む内枠と、
該内枠の、前記設置機器の前記操作面に対しての側方の前記面に対向する、面の少なくとも一つの面より前記内枠の外方に突出して設けられた移動軸と、
該移動軸が移動するための溝部が表面に設けられた溝付き板と、
該溝付き板が組み込まれ、前記溝付き板が前記設置機器の側方方向に沿って移動するための孔部が設けられ、前記設置機器の前記操作面に対しての側方の前記面を囲む外枠と、を備えたことを特徴とする昇降装置。
【請求項３】
設置機器の操作面に対しての側方の面を囲む内枠と、
該内枠の、前記設置機器の前記操作面に対しての側方の前記面に対向する、面の少なくとも一つの面に設けられた孔部内を、前記設置機器の側方方向に沿って移動可能に組み込まれた、溝部が表面に設けられた溝付き板と、
該溝付き板と対向して設けられ、前記設置機器の前記操作面に対しての側方の前記面を囲む外枠と、
前記外枠に、前記溝付き板に対向し、前記溝付き板の前記溝部内を移動可能に設けられた移動軸と、を備えたことを特徴とする昇降装置。
【請求項４】
前記溝付き板の前記表面に設けられた溝部は、直線部分と傾斜部分とで連続して一連の溝として形成されていることを特徴とする請求項１乃至３のいずれかに記載の昇降装置。
【請求項５】
前記溝部内の、前記直線部分と前記傾斜部分との岐路では、前記直線部分、或いは前記傾斜部分のいずれかに移動できるように案内部が設けられていることを特徴とする請求項１乃至４のいずれかに記載の昇降装置。
【請求項６】
前記案内部は、前記移動軸が溝部内で進行すべき方向へ導くために、進行すべきでない方向に突出させた角部であることを特徴とする請求項１乃至５のいずれかに記載の昇降装置。
【請求項７】
前記溝部には、少なくとも二箇所の窪み部が設けられていることを特徴とする請求項１乃至６のいずれかに記載の昇降装置。
【請求項８】
前記窪み部は、前記溝付き板の移動方向と交叉する方向に沿って設けられていることを特徴とする請求項１乃至６のいずれかに記載の昇降装置。
【発明の詳細な説明】
【技術分野】
【０００１】
本発明は、卓上等において卓内に埋め込まれた映像音響操作機器やコンピュータの周辺機器等を机（卓）等上に配置したり、机（卓）等内に収納したりする昇降装置に関する。
【背景技術】
【０００２】
従来の映像音響操作機器やコンピュータの周辺装置等の出し入れを行う技術としては、図２２から図２４に示す構造が開示されている。図２２、図２３では、収納部１３０は、天板１０２の下面における開口１３２の前端縁に上端が当接するとともに、その下端が下端よりも机１０１の後方に向けて傾斜するように設けられる傾斜板１３０ａと、この傾斜板１３０ａの下端から後方に向けて延びる底板１３０ｂと幕板１０９の上部と、から、側面視略台形状に構成されている。収納部１３０内には、図２２に示されるように、支持部材としての網状のネット１６０が設けられており、キーボード１２０やマウス１２１が、ネット１６０に包囲されるように支持されて収納されるようになっている。
【０００３】
つぎに、キーボード１２０を天板１０２上で使用する際には、まず、開閉板１０５の切欠部１０６に手指を挿入し、引き上げ手段としての開閉板１０５を上方へ開成する。すると、図２３に示されるように、ネット１６０の後端縁が上方に引き上げられ、ネット１６０に包囲されているキーボード１２０が、傾斜板１３０ａの内面上を沿うように、すなわち、使用者側に近づくように上方へ移動する。そして、開閉板５がほぼ上下方向を向く位置まで開成されると、上方へ移動したキーボード１２０の上端部が天板１０２の上面より上方に突出する。よって、使用者は手を収納部１３０内に深く差し込むようにしてキーボード１２０を取り出すことなく、キーボード１２０の上端部を手指で掴めば天板１０２の下方に収納されたキーボード１２０を取り出すことが出来る（図２４参照）（特許文献１）。
【特許文献１】特開２００３−１９５９７５（段落２４から段落２５、段落３４、図４、図５）
【発明の開示】
【発明が解決しようとする課題】
【０００４】
しかしながら、上記では、傾斜板１３０ａとネット１６０を設けて、傾斜板１３０ａに沿ってネット１６０内のキーボード１２０を天板１０２上へ送り出す構造を採っているが、ネット１６０内に収納されるキーボード１２０の大きさによっては、例えば、傾斜板１３０ａに対してキーボード１２０が小さい場合には天板１０２へ送り出すことが難しくなる。そのため、両手でキーボード１２０を引き上げる等の作業が必要になってくる場合もあり、傾斜板１３０ａの傾斜させる角度によっては容易にキーボード１２０を取り出し難くなることもある。その結果、容易には、キーボード１２０が操作可能な状態になり得ない場合もある。
【０００５】
また、机（卓）上に映像音響操作機器やコンピュータの周辺機器等を配置したり、机（卓）内に映像音響操作機器やコンピュータの周辺機器等を収納したりするために、偏芯カムを回して持ち上げたり、リンク機構で持ち上げたりする構造も考えられるが、このような構造であると、このような構造を設けるために映像音響操作機器やコンピュータの周辺機器等の周囲に大きなスペースが必要になった。そして、映像音響操作機器やコンピュータの周辺機器等の周りに大きなスペースがとれない場合には、映像音響操作機器やコンピュータの周辺機器等の操作面を卓面と同じ高さにして固定するか、映像音響操作機器やコンピュータの周辺機器等のスイッチ類が卓面に出ないように落とし込んで固定していた。
【０００６】
このように、映像音響操作機器やコンピュータの周辺機器等の操作面を机（卓）面と同じ高さにして固定した場合、机（卓）面に置いた他の機器により不注意で映像音響操作機器やコンピュータの周辺機器等のスイッチ類を損傷する場合があり得る。また、映像音響操作機器やコンピュータの周辺機器等を机（卓）面に出ないように落とし込んで固定した場合には、スイッチ類を損傷する可能性は低くなるがスイッチ類が使用し難くなる。
【０００７】
本発明、上記の事情に鑑みなされたものであり、映像音響操作機器やコンピュータの周辺機器等の操作性を確保するとともに、簡易な機構で映像音響操作機器やコンピュータの周辺機器等を卓上に配置したり、卓内に収納したりする昇降装置を提供することを目的とする。
【課題を解決するための手段】
【０００８】
上記の目的を達成するために、請求項１に記載の発明は、設置機器の操作面に対しての側方の面に取り付けられ、側方の前記面の少なくとも一つの面より前記設置機器の外方に突出した移動軸と、該移動軸が移動するための溝部が表面に設けられた溝付き板と、該溝付き板が組み込まれ、前記溝付き板が前記設置機器の側方方向に沿って移動するための孔部が設けられ、前記設置機器の前記操作面に対しての側方の前記面を囲む外枠と、を備えたことを特徴とする。
【０００９】
従って、請求項１に記載の発明によれば、設置機器の操作面に対しての側方の面から外方に突出して設けられた移動軸が、外枠の孔部内を移動可能に設けられた溝付き板の溝部内に入り、移動軸が溝部内を移動することにより、溝付き板が外枠の孔部内を設置機器の側方方向に沿って移動し（例えば、水平方向へ移動し）、設置機器（映像音響操作機器やコンピュータの周辺機器等）が昇降することを可能にする。
【００１０】
また、請求項２に記載の発明は、設置機器の操作面に対しての側方の面を囲む内枠と、該内枠の、前記設置機器の前記操作面に対しての側方の前記面に対向する、面の少なくとも一つの面より前記内枠の外方に突出して設けられた移動軸と、該移動軸が移動するための溝部が表面に設けられた溝付き板と、該溝付き板が組み込まれ、前記溝付き板が前記設置機器の側方方向に沿って移動するための孔部が設けられ、前記設置機器の前記操作面に対しての側方の前記面を囲む外枠と、を備えたことを特徴とする。
【００１１】
従って、請求項２に記載の発明によれば、設置機器の操作面に対しての側方の面を囲む内枠を設け、内枠の、設置機器の操作面に対しての側方の面に対向する面である内枠体に内枠の外方に向かって突出して設けられた移動軸が、外枠の孔部内を移動可能に設けられた溝付き板の溝部内に入り、移動軸が溝部内を移動することにより、溝付き板が外枠の孔部内を設置機器の側方方向に沿って移動し（例えば、水平方向へ移動し）、内枠に固定された設置機器（映像音響操作機器やコンピュータの周辺機器等）が昇降することを可能にする。
【００１２】
さらに、請求項３に記載の発明は、設置機器の操作面に対しての側方の面を囲む内枠と、該内枠の、前記設置機器の前記操作面に対しての側方の前記面に対向する、面の少なくとも一つの面に設けられた孔部内を、前記設置機器の側方方向に沿って移動可能に組み込まれた、溝部が表面に設けられた溝付き板と、該溝付き板と対向して設けられ、前記設置機器の前記操作面に対しての側方の前記面を囲む外枠と、前記外枠に、前記溝付き板に対向し、前記溝付き板の前記溝部内を移動可能に設けられた移動軸と、を備えたことを特徴とする。
【００１３】
従って、請求項３に記載の発明によれば、設置機器の操作面に対しての側方の面を囲む内枠の面の少なくとも一つの面に設けた孔部内に組み込まれた溝付き板の溝部内に、溝付き板と対向して外枠に設けられた移動軸が入り、移動軸が溝部内を移動することにより、溝付き板が内枠の孔部内を設置機器の側方方向に沿って移動し（例えば、水平方向へ移動し）、内枠に固定された設置機器（映像音響操作機器やコンピュータの周辺機器等）が昇降することを可能にする。
【００１４】
また、請求項４に記載の発明は、請求項１乃至３のいずれかに記載の構成に加え、前記溝付き板の前記表面に設けられた溝部は、直線部分と傾斜部分とで連続して一連の溝として形成されていることを特徴とする。
【００１５】
従って、請求項４に記載の発明によれば、溝付き板に設けられた溝部は直線部分と傾斜部分とで連続して一連の溝として形成され、溝部は閉じているため、移動軸が溝部内を移動するだけで内枠に固定された設置機器の移動を可能にする。
【００１６】
さらに、請求項５に記載の発明は、請求項１乃至４のいずれかに記載の構成に加え、前記溝部内の、前記直線部分と前記傾斜部分との岐路では、前記直線部分、或いは前記傾斜部分のいずれかに移動できるように案内部が設けられていることを特徴とする。
【００１７】
従って、請求項５に記載の発明によれば、溝部内の、直線部分と傾斜部分との岐路では案内部が設けられており、移動軸が溝部内を一方向へ移動できるように規制することを可能にしている。
【００１８】
また、請求項６に記載の発明は、請求項１乃至５のいずれかに記載の構成に加え、前記案内部は、前記移動軸が溝部内で進行すべき方向へ導くために、進行すべきでない方向に突出させた角部であることを特徴とする。
【００１９】
従って、請求項６に記載の発明によれば、直線部分と傾斜部分との岐路において進行すべきでない方向（直線部分、或いは傾斜部分のいずれか）側に案内部として角部を設け、移動軸が進行すべきでない方向（直線部分、或いは傾斜部分のいずれか）側へ行くのを防止することを可能にする。
【００２０】
さらに、請求項７に記載の発明は、請求項１乃至６のいずれかに記載の構成に加え、前記溝部には、少なくとも二箇所の窪み部が設けられていることを特徴とする。
【００２１】
従って、請求項７に記載の発明によれば、溝部内に少なくとも二箇所の窪み部（谷部、或いは山部）が設けられているため、溝部内を移動する移動軸が安定する位置である、設置機器を使用できる状態の使用位置と設置機器を収納する収納位置の少なくとも二箇所を形成することが可能になる。
【００２２】
また、請求項８に記載の発明は、請求項１乃至７のいずれかに記載の構成に加え、前記窪み部は、前記溝付き板の移動方向と交叉する方向に沿って設けられていることを特徴とする。
【００２３】
従って、請求項８に記載の発明によれば、溝部内の窪み部（谷部、或いは山部）は、溝付き板の移動方向に対して交叉する方向（例えば、垂直方向）に沿って設けられているので、内枠又は移動軸に固定された設置機器を机（卓）上に配置する使用位置で安定させることを可能にするとともに、内枠又は移動軸に固定された設置機器を机（卓）内に収納する収納位置に安定させることを可能にする。
【発明の効果】
【００２４】
本発明によれば、設置機器である映像音響操作機器やコンピュータ等を制御するための周辺機器等の使用時には機器の操作面を机（卓）面と同じ高さにして操作可能であるし、不使用時には機器の操作面のスイッチ類を机（卓）面より低くし、スイッチ類の損傷等を防ぐことができる。また、スイッチ類を机（卓）面より低くした際には、スイッチ類がある机（卓）面の開口にカバー（蓋）等で覆い、机（卓）上の作業エリアを広くすることができる。本発明は外枠と内枠とを基本とするコンパクトな構成であり、複雑な機構を必要としていないので、本発明である昇降装置の机（卓）への取り付けも容易に行うことができる。
【００２５】
また、本発明の昇降装置は複雑な機構が不要のため、机（卓）内にレール等を設けて、そのレール等に昇降装置を載せれば、レール等が設けられた範囲内の使用しやすい位置に移動でき、且つその場所で使用位置、収納位置に設置機器を上下することができる。
【発明を実施するための最良の形態】
【００２６】
以下、本発明を実施するための最良の形態について図面を参照して説明する。
【００２７】
（例１）
図１には、本発明の例１である昇降装置１が示してある。図１に示す例１の昇降装置１は直方体の形状をなしている。ただし、本発明である昇降装置１は、図１に示す直方体の形状に限定されることなく、例えば、立方体等の形状を採ることも可能である。本発明である昇降装置１は、図１に示すように、外側には外枠３が設けられており、昇降装置１の直方体の形状の基本的な構成を形成している。外枠３は、溝部９３が表面に設けられた溝付き板９が、設置機器の操作面に対しての側方方向に移動可能に組み込まれた孔部（長孔部３２ａ）が設けられた第一外枠体３２と、その第一外枠体３２と連続し、設置機器を第一外枠体３２とともに収納することが可能な第二外枠体３１，３３と、を備えている。
【００２８】
具体的には、昇降装置１の直方体の形状の６面の内５面を第一外枠体３２、第二外枠体３１、３３で形成している（図２参照）。そして、卓天板１２等の卓上に取り付けられた際に、設置機器である映像音響操作機器やコンピュータ等を制御するための周辺機器等（以下「映像音響操作機器やコンピュータの周辺機器等１０」という）を収納できるように１面には外枠体が設けられていない。図１では、映像音響操作機器やコンピュータの周辺機器等１０を卓天板１２に配置できるように、卓面１２ａ側の昇降装置１の１面に外枠体がなく開口１ａが形成されている（図２参照）。
【００２９】
この開口１ａは第二外枠体３１、第一外枠体３２、により囲まれて形成されており、本例では、図１に示すように、第二外枠体３１が卓天板１２の裏面１２ｂ側に延びており、この延びている第二外枠体３１が裏面１２ｂに固定され、卓天板１２に昇降装置１が固定されている。本例では、第二外枠体３１が卓天板１２に固定される構造を示しているが、第一外枠体３２が卓天板１２に固定される構造を採ってもよい。そして、本例では、第一外枠体３２、３２に第一外枠体３２、３２を貫通する孔部である長孔部３２ａが形成されている。この長孔部３２ａはそれぞれ第一外枠体３２、３２同士の対向する位置に形成されている。
【００３０】
本例では、この長孔部３２ａは第一外枠体３２の長手方向に沿って第一外枠体３２の長さに近い長さで形成されているが、必ずしも本例のように、長孔部３２ａが第一外枠体３２の長手方向に沿って第一外枠体３２の長さに近い長さで形成される必要はない。例えば、第一外枠体３２の長手方向に沿って長孔部３２ａを、一つの第一外枠体３２に二箇所形成することも可能である。つまり、一箇所（一箇所目）を第一外枠体３２の長手方向に沿って、第一外枠体３２の一方の端部近傍から第一外枠体３２の中央位置近傍までで形成し、もう一箇所（二箇所目）を一箇所目から離れた第一外枠体３２の中央位置近傍から第一外枠体３２の他方の端部近傍までで形成するということも可能である。
【００３１】
この長孔部３２ａには、図１及び図６に示すように、溝付き板９が組み込まれている。この溝付き板９は、図６に示すように、この長孔部３２ａ内を移動可能なように組み込まれている。本例では、図３に示すように、この溝付き板９の端部９１、９１に略Ｖ字状の凹部９２、９２が形成してあり、略Ｖ字状の凹部９２、９２が長孔部３２ａの端部３２ａ１、３２ａ１を挟み込んでいる。
【００３２】
そして、溝付き板９の端部９１、９１の略Ｖ字状の凹部９２、９２が長孔部３２ａの端部３２ａ１、３２ａ１を摺動して移動することが可能になっている。ただし、本例に示すように、溝付き板９の端部９１、９１に略Ｖ字状の凹部９２、９２を形成することなく、逆に、第一外枠体３２の長孔部３２ａに略Ｖ字状の凹部を設け溝付き板９の端部を挟み込むようにして、溝付き板９が長孔部３２ａを摺動して移動可能にしてもよい。さらに、溝付き板９の端部９１、９１にローラー等の部材を取り付けることで溝付き板９を長孔部３２ａ内で移動することも可能である。
【００３３】
この溝付き板９の一方の表面には、図３に示すような溝部９３が設けられている。溝部９３は略ハート状の形状をなしており、直線部分（直線溝）９３ａ、９３ｃ、９３ｅ、９３ｇ、９３ｉと傾斜部分（傾斜溝）９３ｂ、９３ｄ、９３ｆ、９３ｈ、９３ｊとで連続して一連の溝として形成されている。溝部９３の詳細については、図４に示してあり、直線部分９３ａ、９３ｃ、９３ｅ、９３ｇ、９３ｉと傾斜部分９３ｂ、９３ｄ、９３ｆ、９３ｈ、９３ｊとを順次繰り返し組み合わせて形成されている。
【００３４】
そして、溝部９３内の、直線部分（直線溝）９３ａ、９３ｅ、９３ｇ、９３ｉと傾斜部分（傾斜溝）９３ｂ、９３ｄ、９３ｆ、９３ｈ、９３ｊとの岐路では、直線部分（直線溝）９３ａ、９３ｅ、９３ｇ、９３ｉ、或いは傾斜部分（傾斜溝）９３ｂ、９３ｄ、９３ｆ、９３ｈ、９３ｊのいずれかに移動できるように案内部が設けられている。具体的には、図４に示すように、溝部９３内には複数の角部θ１、θ２、θ３、θ４が設けられており、この角部θ１、θ２、θ３、θ４により、移動軸７（軸部７２）を移動し易くするとともに、移動軸７（軸部７２）を一方向への移動を可能にしている。
【００３５】
案内部である角部θ１、θ２、θ３、θ４を設けることで、例えば、図４に示すように、最下位置（頂点）９３１にある点線で示す移動軸７（軸部７２）が移動して、傾斜溝９３ｂと傾斜溝９３ｊとの岐路に到達しても、角部θ１が傾斜溝９３ｊ側に寄り（に突出しており）、傾斜溝９３ｂ側を広く形成しているため、進行すべきでない方向である傾斜溝９３ｊが狭くなり、進行すべき方向である傾斜溝９３ｂが広くなり、点線で示す移動軸７（軸部７２）が傾斜溝９３ｂ内へ移動し易くなっている。この角部θ１、θ２、θ３、θ４の角度は鋭角であればよく、例えば、角部θ１、θ２、θ３、θ４を全て３０°にすることも可能である。
【００３６】
本例では、溝部９３は略ハート状の形状をなしている。溝部９３には、少なくとも二箇所の窪み部である谷部（或いは山部）（頂点９３１、９３３）が設けられている。このように、二箇所の谷部（或いは山部）を設けることにより、溝部９３内を移動する移動軸７が安定し、設置機器を使用する状態の使用位置（頂点９３３）と設置機器を収納する収納位置（頂点９３１）を形成することが可能になる。そして、谷部（或いは山部）は、溝付き板９の移動方向に対して垂直方向に沿って設けられている。そのため、内枠５に固定された設置機器を机（卓）上に配置する使用位置で安定させることを可能にするとともに、内枠５に固定された設置機器を机（卓）内に収納する収納位置に安定させることが可能になる。
【００３７】
溝部９３は、少なくとも二箇所の窪み部である谷部（或いは山部）を備えていれば，この略ハート状の形状に限定されることなく、複数の、曲線部分を含めた直線部分（直線溝）と傾斜部分（傾斜溝）とで連続して一連の溝として形成されていればよい。また、本例では、この溝付き板９が４個、外枠３２の長孔部３２ａに組み込まれている。本例では、４個の溝付き板９を用いた場合について示しているが、溝付き板９の個数は４個に限定されることなく、例えば６個、８個等にすることも可能である。本例では、溝付き板９は、樹脂製の部材で形成されているが、溝付き板９が外枠３２の長孔部３２ａを移動できれば、樹脂製の部材に限定されることはない。
【００３８】
そして、外枠３の第一外枠体３２、第二外枠体３１及び外枠３の底部をなす第二外枠体３３で囲まれた内部には、図１及び図５に示すように、内枠５が組み込まれている。内枠５は、対向して設けられた第一内枠体５２と、その第一内枠体５２の少なくとも一方には外方に向けて突出した移動軸７が設けられ、第一内枠体５２と連続する、設置機器を搭載して固定することが可能なように対向して設けられた第二内枠体５１と、を備えている。
具体的には、内枠５は、図５に示すように、第一外枠体３２、３２に対向可能な第一内枠体５２、５２が設けられており、また、第二外枠体３１、３１に対向可能な第二内枠体５１、５１が設けられている。
【００３９】
内枠５の、第二内枠体５１と第二内枠体５１との間には、例えば、映像音響操作機器やコンピュータの周辺機器等１０を組み込むための空間が形成されており、第二内枠体５１、５１には、第二内枠体５１と第二内枠体５１との間に、例えば映像音響操作機器やコンピュータの周辺機器等１０を組み込んだ際に、組み込まれた映像音響操作機器やコンピュータの周辺機器等１０を固定するための固定機構が設けられている。本例では、第二内枠体５１、５１にボルト等の固定部材を貫通するための孔部５１ａが設けられている。本例では、それぞれ第二内枠体５１の二箇所に孔部５１ａが設けられ、図１に示すように、孔部５１ａにボルト５１ｂを組み込み映像音響操作機器やコンピュータの周辺機器等１０を固定している。
【００４０】
第一内枠体５２、５２の下端側（外枠３の下面である第二外枠体３３近傍）には移動軸７が設けられている。この移動軸７は、図５に示すように、第一内枠体５２、５２により第一外枠体３２、３２へ向かって突出するように設けられている。本例では、この移動軸７は、ボルトと同様の形状をなしており、図１及び図５に示すように、頭部７１は第一内枠体５２、５２同士で形成される内部側に設け、軸部７２が第一内枠体５２の外側へ突出するように設けられている。そして、この移動軸７の軸部７２は溝付き板９の溝部９３内で移動可能になるように入り込んでいる（図８参照）。
【００４１】
具体的には、図７及び図８に示すように、移動軸７の軸部７２が溝付き板９の溝部９３内に入り、溝部９３内を移動することにより、内枠５に固定された映像音響操作機器やコンピュータの周辺機器等１０を卓天板（卓面）１２に対して上下方向へ動かすことができる（昇降することができる）。図８の左半分では、映像音響操作機器やコンピュータの周辺機器等１０を使用できるように卓天板１２に配置した状態と、そのときの溝付き板９の溝部９３における移動軸７の軸部７２の位置が示してある。また、図８の右半分では、映像音響操作機器やコンピュータの周辺機器等１０を卓天板１２内に収納した状態と、そのときの溝付き板９の溝部９３における移動軸７の軸部７２の位置が示してある。
【００４２】
つぎに、本発明である昇降装置１に取り付けた映像音響操作機器やコンピュータの周辺機器等１０を卓天板１２に配置したり、収納したりする動作について説明する。
【００４３】
はじめに、昇降装置１の内枠５に固定された設置機器である映像音響操作機器やコンピュータ等を制御するための周辺機器等は卓面１２ａより下がった位置にある（図１に示すように、卓天板１２内に映像音響操作機器やコンピュータの周辺機器等１０を収納した状態にある）。つまり、図１１に示すように、第一内枠体５２、５２の下端側が外枠３の第二外枠体３３に最も近接（或いは、接近）した状態になっている。そのため、映像音響操作機器やコンピュータの周辺機器等１０を操作することは難しく、卓面１２ａに設けられた、映像音響操作機器やコンピュータの周辺機器等１０が配置されたり、収納されたりする卓面１２の開口１２ａ１には図示しないカバーを取り付けておくことも可能である。このときは、第一内枠体５２のそれぞれの移動軸７（軸部７２）は溝付き板９の溝部９３の最下位置（頂点）９３１の位置にある（収納位置）。具体的には、図９（ａ）に示すように、溝付き板９の溝部９３の略ハート状の形状の最下点９３１に移動軸７（軸部７２）がある。
【００４４】
つぎに、映像音響操作機器やコンピュータの周辺機器等１０を使用する場合には、まず、開口１２ａ１に図示しないカバーが取り付けられていれば、そのカバーを外し、映像音響操作機器やコンピュータの周辺機器等１０を持ち上げる。そうすると、映像音響操作機器やコンピュータの周辺機器等１０を固定している内枠５の第一内枠体５２、５２に設けられた移動軸７（軸部７２）が、図９（ａ）に示す矢印ａ方向（鉛直方向）に沿って直線溝９３ａを移動する。このとき、移動軸７（軸部７２）の移動による押圧が溝付き板９に加わるが押圧は溝付き板９に対して鉛直方向（垂直方向）であるため、溝付き板９は移動しない。溝部９３の角部θ１の（頂点を含めた）部分は傾斜溝９３ｊ側寄りに形成され、傾斜溝９３ｂ側を広く形成しているため、進行すべきでない方向である傾斜溝９３ｊが狭くなり、進行すべき方向である傾斜溝９３ｂが広くなり、移動した移動軸７（軸部７２）は直線溝９３ａに連続する傾斜溝９３ｂへ移動する。
【００４５】
映像音響操作機器やコンピュータの周辺機器等１０をさらに持ち上げると、図９（ｂ）に示すように、移動軸７（軸部７２）が矢印ｂ方向に沿って傾斜溝９３ｂ内を移動する。溝付き板９は第二外枠体３２の長孔部３２ａ内で移動可能であるために、この移動軸７（軸部７２）の傾斜溝９３ｂ内の移動に伴い、移動軸７（軸部７２）の移動による押圧（傾斜溝９３ｂ方向に沿う押圧）が溝付き板９に加わる。そのため、溝付き板９は移動軸７（軸部７２）の移動方向とは反対方向である、長孔部３２ａ内で矢印Ａ方向へ移動する。そして、映像音響操作機器やコンピュータの周辺機器等１０をさらに持ち上げると、移動軸７（軸部７２）が矢印ｃ方向に沿って直線溝９３ｃを移動する。直線溝９３ｃの移動の際には、移動軸７（軸部７２）の移動による押圧が溝付き板９に加わるが押圧は溝付き板９に対して鉛直方向（垂直方向）であるため、溝付き板９は移動しない。
【００４６】
映像音響操作機器やコンピュータの周辺機器等１０をさらに持ち上げると、移動軸７（軸部７２）は直線溝９３ｃに連続する傾斜溝９３ｄへ移動する。そして、図９（ｃ）に示すように、移動軸７（軸部７２）が矢印ｄ方向に沿って傾斜溝９３ｄ内を移動する。この移動軸７（軸部７２）の傾斜溝９３ｄ内の移動に伴い、移動軸７（軸部７２）の移動による押圧（傾斜溝９３ｄ方向に沿う押圧）が溝付き板９に加わる。そのため、溝付き板９は移動軸７（軸部７２）の移動方向とは反対方向である、長孔部３２ａ内で矢印Ｂ方向へ移動する。そして、図９（ｃ）に示すように、この移動軸７（軸部７２）が傾斜溝９３ｄの頂点９３２に到達したところで映像音響操作機器やコンピュータの周辺機器等１０を開放する。
【００４７】
映像音響操作機器やコンピュータの周辺機器等１０を開放することで、映像音響操作機器やコンピュータの周辺機器等１０を持ち上げるのを止めることで、映像音響操作機器やコンピュータの周辺機器等１０を固定している内枠５の第一内枠体５２、５２に設けられた移動軸７（軸部７２）が図９（ｃ）に示す矢印ｅ方向へ移動する。つまり、移動軸７（軸部７２）は矢印ｅ方向に沿って直線溝９３ｅを移動する。角部θ２の（頂点を含めた）部分は傾斜溝９３ｄ側寄りに形成され、直線溝９３ｅ側を広く形成しているため、進行すべきでない方向である傾斜溝９３ｄが狭くなり、進行すべき方向である直線溝９３ｅが広くなり、移動した移動軸７（軸部７２）は傾斜溝９３ｄに連続する直線溝９３ｅ内を移動する。
【００４８】
このとき、移動軸７（軸部７２）の移動による押圧が溝付き板９に加わるが押圧は溝付き板９に対して鉛直方向（垂直方向）であるため、溝付き板９は移動しない。そして、直線溝９３ｅを移動した移動軸７（軸部７２）は、矢印ｆ方向に沿って傾斜溝９３ｆを移動する。この移動軸７（軸部７２）の傾斜溝９３ｆ内の移動に伴い、移動軸７（軸部７２）の移動による押圧（傾斜溝９３ｆ方向に沿う押圧）が溝付き板９に加わる。そのため、図９（ｄ）に示すように、溝付き板９は移動軸７（軸部７２）の移動方向とは反対方向である、長孔部３２ａ内で矢印Ｂ方向へ移動する。
【００４９】
そして、図９（ｄ）に示すように、この移動軸７（軸部７２）が傾斜溝９３ｆと直線溝９３ｇとの連結位置である頂点９３３（使用位置）に到達する。この頂点９３３（使用位置）に到達したときに、映像音響操作機器やコンピュータの周辺機器等１０は、図１０に示すように、外枠３から上昇した状態になる。より具体的には、図１（図１の左側に示す映像音響操作機器やコンピュータの周辺機器等１０）及び図１２（図１２の右側に示す映像音響操作機器やコンピュータの周辺機器等１０）に示すように、卓面１２ａに配置された状態になる。従って、使用者が卓天板１２上の映像音響操作機器やコンピュータの周辺機器等１０を使用することが可能になる。このとき、映像音響操作機器やコンピュータの周辺機器等１０に外部から何等かの押圧等が加わったとしても、傾斜溝９３ｆと直線溝９３ｇとの間（頂点９３３）に入り込んでいるため、移動軸７（軸部７２）は移動し難い状態であり、映像音響操作機器やコンピュータの周辺機器等１０の卓天板１２での位置の安定化が図られる。
【００５０】
そして、映像音響操作機器やコンピュータの周辺機器等１０の使用を終えた後には、また、映像音響操作機器やコンピュータの周辺機器等１０を持ち上げる。図９（ｄ）に示す矢印ｇ方向に沿って移動軸７（軸部７２）は直線溝９３ｇを移動する。このとき、移動軸７（軸部７２）の移動による押圧が溝付き板９に加わるが押圧は溝付き板９に対して鉛直方向（垂直方向）であるため、溝付き板９は移動しない。そして、角部θ３の（頂点を含めた）部分は直線溝９３ｅ側寄りに形成され、傾斜溝９３ｈ側を広く形成しているため、進行すべきでない方向である直線溝９３ｅが狭くなり、進行すべき方向である傾斜溝９３ｈが広くなり、移動した移動軸７（軸部７２）は直線溝９３ｇに連続する傾斜溝９３ｈを移動する。
【００５１】
そして、図９（ｅ）に示すように、移動軸７（軸部７２）が矢印ｈ方向に沿って傾斜溝９３ｈ内を移動する。この移動軸７（軸部７２）の傾斜溝９３ｈ内の移動に伴い、移動軸７（軸部７２）の移動による押圧（傾斜溝９３ｈ方向に沿う押圧）が溝付き板９に加わる。そのため、溝付き板９は移動軸７（軸部７２）の移動方向とは反対方向である、長孔部３２ａ内で矢印Ｂ方向へ移動する。
【００５２】
そして、図９（ｅ）に示すように、この移動軸７（軸部７２）が傾斜溝９３ｈと直線溝９３ｉと交差位置である溝部９３の頂点９３４に到達したところで映像音響操作機器やコンピュータの周辺機器等１０を開放する。映像音響操作機器やコンピュータの周辺機器等１０を開放することで、映像音響操作機器やコンピュータの周辺機器等１０を持ち上げるのを止めることで、映像音響操作機器やコンピュータの周辺機器等１０を固定している内枠５の第一内枠体５２、５２に設けられた移動軸７（軸部７２）が図９（ｅ）に示す矢印ｉ方向へ移動する。
【００５３】
そして、角部θ４の（頂点を含めた）部分は傾斜溝９３ｈ側寄りに形成され、直線溝９３ｉ側を広く形成しているため、進行すべきでない方向である傾斜溝９３ｈが狭くなり、進行すべき方向である直線溝９３ｉが広くなり、移動した移動軸７（軸部７２）は傾斜溝９３ｈに連続する傾斜溝９３ｉを移動する。このとき、移動軸７（軸部７２）の移動による押圧が溝付き板９に加わるが押圧は溝付き板９に対して鉛直方向（垂直方向）であるため、溝付き板９は移動しない。
【００５４】
そして、直線溝９３ｉを移動した移動軸７（軸部７２）は、図９（ｆ）に示すように、矢印ｊ方向に沿って傾斜溝９３ｊを移動する。この移動軸７（軸部７２）の傾斜溝９３ｊ内の移動に伴い、移動軸７（軸部７２）の移動による押圧（傾斜溝９３ｊ方向に沿う押圧）が溝付き板９に加わる。そのため、溝付き板９は移動軸７（軸部７２）の移動方向とは反対方向である、長孔部３２ａ内で矢印Ａ方向へ移動する。
【００５５】
そして、図９（ｆ）に示すように、この移動軸７（軸部７２）が傾斜溝９３ｊと直線溝９３ａとの連結位置である溝部９３の頂点９３１に到達する（収納位置）。この頂点９３１に到達したときに、映像音響操作機器やコンピュータの周辺機器等１０は、図１１に示すように、はじめの状態になる。つまり、図１（図１の右側に示す映像音響操作機器やコンピュータの周辺機器等１０）及び図１２（図１２の真中に示す映像音響操作機器やコンピュータの周辺機器等１０）に示すように、設置機器である映像音響操作機器やコンピュータ等を制御するための周辺機器等は卓面１２ａより下がった位置になる（映像音響操作機器やコンピュータの周辺機器等１０が卓天板１２内に収納された状態になる）。そして、第一内枠体５２、５２の下端側が外枠３の第二外枠体３３に最も近接（或いは、接近）した状態になる。このように映像音響操作機器やコンピュータの周辺機器等１０が収納されることにより、卓面１２には開口１２ａ１が再び現れるために、カバー１７を取り付ける。
【００５６】
すなわち、図９（ａ）から（ｆ）にいたる一連の動きの中で、移動軸７（軸部７２）は溝付き板９に対して、溝部９３の略ハート型（略ハート状の形状）に従い移動するものであるが、移動軸７（軸部７２）が垂直に移動した時に溝部９３の各傾斜溝９３ｂ、９３ｄ、９３ｆ、９３ｈ、９３ｊを水平方向に押し、溝付き板９を水平移動させることによって、移動軸７、ひいては設置機器を垂直方向に動かすことだけで、設置機器を収納位置、使用位置に交互に座することを可能にしている。
【００５７】
本例では、溝部９３内の移動軸７の移動を分かり易くするために、図９では、１個の溝付き板９に設けた溝部９３での移動軸７の移動のみを示したが、本例では、４個の溝付き板９を用いているので、残りの溝付き板９に設けた溝部９３でも移動軸７が同様に移動する。また、本例では、溝付き板９は４個しか設けていないが、本発明である昇降装置１では、４個に限定されることなく６個、８個等設けることが可能である。また、本発明である昇降装置１では、溝付き板９の個数は４個以下にすることも可能である。
【００５８】
図１３には、昇降装置１００が示されており、この昇降装置１００には１個の溝付き板９を用いている。この溝付き板９には、昇降装置１の溝付き板９に設けられている溝部９３と同様の溝部９３が設けられている。基本的な構成は、上記に示した昇降装置１と同じであり、外枠３の内部には内枠５が組み込まれている。そして、内枠５の第一内枠体５２に設けられた図示しない移動軸７（軸部７２）が溝付き板９の図示しない溝部９３内に入り、溝部９３内を移動することにより、内枠５に固定された映像音響操作機器やコンピュータの周辺機器等１０を卓天板（卓面）１２に対して上下方向へ動かすことができる（昇降することができる）。この昇降装置１００では、内枠５を移動し易くするために、図１３に示すように、第二内枠体５１に滑り材１３を取り付けてある。そして、第二内枠体５１に対向する第二外枠体３１の内側には、滑り材受け１５が設けられている。
【００５９】
なお、上記では、設置機器である映像音響操作機器やコンピュータの周辺機器等１０の操作面に対しての側方の面を囲む内枠５と、その内枠５の、設置機器の操作面に対しての側方の面である第一内枠体５２より、外方に突出した移動軸７（軸部７２）と、を構成として示しているが、必ずしもこのように、内枠５を必要とすることはない。例えば、図１４に示すように、設置機器である映像音響操作機器やコンピュータの周辺機器等１０の操作面に対しての側方の面に、設置機器の外方に突出した移動軸７を設け、その移動軸７を外枠３の長孔部３２ａに組み込まれた溝付き板９の溝部９３内を移動させることでも（図１５参照）、上記と同様に、溝付き板９が外枠３の長孔部３２ａを移動し、設置機器である映像音響操作機器やコンピュータの周辺機器等１０を収納位置（図１６の右側に示す映像音響操作機器やコンピュータの周辺機器等１０）、使用位置（図１６の左側に示す映像音響操作機器やコンピュータの周辺機器等１０）に交互に座することを可能にする。
【００６０】
（例２）
図１７には、本発明の例２である昇降装置２００が示してある。例２では、例１と同一の部品については同一の参照番号を付してあり、基本的な各部品の構成は例１と同じである。例２の昇降装置２００は、内枠５の第一内枠体５２に孔部である長孔部５２ａが設けられ、溝部９３が表面に設けられた溝付き板９が設置機器の側方方向に沿って移動可能に組み込まれているという（図１７参照）点と、溝付き板９と対向して設けられている外枠３の第一外枠体３２に、溝付き板９の溝部９３内を移動可能に移動軸７を設けているという（図１８及び図１９参照）点が例１の昇降装置１、１００とは異なる点である。
【００６１】
また、例２で用いている溝付き板９は、例１で用いている溝付き板９と同じであるが、例２の溝部９３は例１の溝部９３を逆さまにしてある。つまり、例２の溝部９３では、逆略ハート状の形状をなしている。この溝付き板９の溝部９３内を移動軸７が移動することで、溝付き板９が長孔部５２ａ内を移動するということは例１と同じであり、例１と同様、例２においても特徴的なこの溝付き板９の溝部９３を移動軸７が移動する動作を中心に以下では説明する。
【００６２】
例２でも、図２０に示すように、移動軸７の軸部７２が溝付き板９の溝部９３内に入り、溝付き板９が設置機器とともに移動することにより、移動軸７の軸部７２が溝部９３内を移動することにより、内枠５に固定された映像音響操作機器やコンピュータの周辺機器等１０を卓天板（卓面）１２に対して上下方向へ動かすことができる（昇降することができる）。図２０の左半分では、映像音響操作機器やコンピュータの周辺機器等１０を使用できるように卓天板１２に配置した状態と、そのときの溝付き板９の溝部９３における移動軸７の軸部７２の位置が示してある。また、図２０の右半分では、映像音響操作機器やコンピュータの周辺機器等１０を卓天板１２内に収納した状態と、そのときの溝付き板９の溝部９３における移動軸７の軸部７２の位置が示してある。
【００６３】
つぎに、本発明である昇降装置２００に取り付けた映像音響操作機器やコンピュータの周辺機器等１０を卓天板１２に配置したり、収納したりする動作について説明する。
【００６４】
はじめに、昇降装置２００の内枠５に固定された設置機器である映像音響操作機器やコンピュータ等を制御するための周辺機器等は卓面１２ａより下がった位置にある。つまり、図１９及び図２０（図２０の右側半分）に示すように、第一内枠体５２、５２の下端側が外枠３の第二外枠体３３に最も近接（或いは、接近）した状態になっている。このときは、第一外枠体３２のそれぞれの移動軸７（軸部７２）は溝付き板９の溝部９３の頂点９３１の位置にある（収納位置）。具体的には、図２１（ａ）に示すように、溝付き板９の溝部９３の逆略ハート状の形状の頂点９３１に移動軸７（軸部７２）がある。
【００６５】
つぎに、映像音響操作機器やコンピュータの周辺機器等１０を使用する場合には、映像音響操作機器やコンピュータの周辺機器等１０を持ち上げる。そうすると、映像音響操作機器やコンピュータの周辺機器等１０を固定している内枠５の第一内枠体５２、５２に設けられた溝付き板９の溝部９３が持ち上げられることで、移動軸７（軸部７２）が、図２１（ａ）に示す矢印ａ方向（鉛直方向）に沿って直線溝９３ａを移動する。このとき、溝付き板９は移動しない。そして、溝部９３の角部θ１の（頂点を含めた）部分は傾斜溝９３ｊ側寄りに形成され、傾斜溝９３ｂ側を広く形成しているため、進行すべきでない方向である傾斜溝９３ｊが狭くなり、進行すべき方向である傾斜溝９３ｂが広くなり、移動した移動軸７（軸部７２）は直線溝９３ａに連続する傾斜溝９３ｂへ移動する。
【００６６】
映像音響操作機器やコンピュータの周辺機器等１０をさらに持ち上げると、溝付き板９の溝部９３も持ち上げられ、図２１（ｂ）に示すように、移動軸７（軸部７２）が矢印ｂ方向に沿って傾斜溝９３ｂ内を移動する。溝付き板９は第一内枠体５２の長孔部５２ａ内で移動可能であるために、この移動軸７（軸部７２）の傾斜溝９３ｂ内の移動に伴い、移動軸７（軸部７２）の移動による押圧（傾斜溝９３ｂ方向に沿う押圧）が溝付き板９に加わる。そのため、溝付き板９は移動軸７（軸部７２）の移動方向とは反対方向である、長孔部５２ａ内で矢印Ａ方向へ移動する。そして、映像音響操作機器やコンピュータの周辺機器等１０をさらに持ち上げると、溝付き板９も持ち上がり、移動軸７（軸部７２）が矢印ｃ方向に沿って直線溝９３ｃを移動する。直線溝９３ｃの移動の際には、溝付き板９は移動しない。
【００６７】
映像音響操作機器やコンピュータの周辺機器等１０をさらに持ち上げると、溝付き板９も持ち上がり、移動軸７（軸部７２）は直線溝９３ｃに連続する傾斜溝９３ｄへ移動する。そして、図２１（ｃ）に示すように、移動軸７（軸部７２）が矢印ｄ方向に沿って傾斜溝９３ｄ内を移動する。この移動軸７（軸部７２）の傾斜溝９３ｄ内の移動に伴い、移動軸７（軸部７２）の移動による押圧（傾斜溝９３ｄ方向に沿う押圧）が溝付き板９に加わる。そのため、溝付き板９は移動軸７（軸部７２）の移動方向とは反対方向である、長孔部５２ａ内で矢印Ｂ方向へ移動する。そして、図２１（ｃ）に示すように、この移動軸７（軸部７２）が傾斜溝９３ｄの頂点９３２に到達したところで映像音響操作機器やコンピュータの周辺機器等１０を開放する。
【００６８】
映像音響操作機器やコンピュータの周辺機器等１０を開放することで、映像音響操作機器やコンピュータの周辺機器等１０を持ち上げるのを止めることで、移動軸７（軸部７２）が図２１（ｃ）に示す矢印ｅ方向へ移動する。つまり、移動軸７（軸部７２）は矢印ｅ方向に沿って直線溝９３ｅを移動する。角部θ２の（頂点を含めた）部分は傾斜溝９３ｄ側寄りに形成され、直線溝９３ｅ側を広く形成しているため、進行すべきでない方向である傾斜溝９３ｄが狭くなり、進行すべき方向である直線溝９３ｅが広くなり、移動した移動軸７（軸部７２）は傾斜溝９３ｄに連続する直線溝９３ｅ内を移動する。このとき、溝付き板９は移動しない。
【００６９】
そして、直線溝９３ｅを移動した移動軸７（軸部７２）は、矢印ｆ方向に沿って傾斜溝９３ｆを移動する。この移動軸７（軸部７２）の傾斜溝９３ｆ内の移動に伴い、移動軸７（軸部７２）の移動による押圧（傾斜溝９３ｆ方向に沿う押圧）が溝付き板９に加わる。そのため、図２１（ｄ）に示すように、溝付き板９は移動軸７（軸部７２）の移動方向とは反対方向である、長孔部５２ａ内で矢印Ｂ方向へ移動する。
【００７０】
そして、図２１（ｄ）に示すように、この移動軸７（軸部７２）が傾斜溝９３ｆと直線溝９３ｇとの連結位置である頂点９３３（使用位置）に到達する。この頂点９３３（使用位置）に到達したときに、映像音響操作機器やコンピュータの周辺機器等１０は、図１８に示すように、外枠３から上昇した状態になる。より具体的には、図２０（図２０の左側に示す映像音響操作機器やコンピュータの周辺機器等１０）及び図１８に示すように、卓面１２ａに配置された状態になる。従って、使用者が卓天板１２上の映像音響操作機器やコンピュータの周辺機器等１０を使用することが可能になる。このとき、映像音響操作機器やコンピュータの周辺機器等１０に外部から何等かの押圧等が加わったとしても、傾斜溝９３ｆと直線溝９３ｇとの間（頂点９３３）に入り込んでいるため、移動軸７（軸部７２）は移動し難い状態であり、映像音響操作機器やコンピュータの周辺機器等１０の卓天板１２での位置の安定化が図られる。
【００７１】
そして、映像音響操作機器やコンピュータの周辺機器等１０の使用を終えた後には、また、映像音響操作機器やコンピュータの周辺機器等１０を持ち上げる（と同時に溝付き板９も持ち上がる）。図２１（ｄ）に示す矢印ｇ方向に沿って移動軸７（軸部７２）は直線溝９３ｇを移動する。このとき、移動軸７（軸部７２）の移動による押圧が溝付き板９に加わるが押圧は溝付き板９に対して鉛直方向（垂直方向）であるため、溝付き板９は移動しない。そして、角部θ３の（頂点を含めた）部分は直線溝９３ｅ側寄りに形成され、傾斜溝９３ｈ側を広く形成しているため、進行すべきでない方向である直線溝９３ｅが狭くなり、進行すべき方向である傾斜溝９３ｈが広くなり、移動した移動軸７（軸部７２）は直線溝９３ｇに連続する傾斜溝９３ｈを移動する。
【００７２】
そして、図２１（ｅ）に示すように、移動軸７（軸部７２）が矢印ｈ方向に沿って傾斜溝９３ｈ内を移動する。この移動軸７（軸部７２）の傾斜溝９３ｈ内の移動に伴い、移動軸７（軸部７２）の移動による押圧（傾斜溝９３ｈ方向に沿う押圧）が溝付き板９に加わる。そのため、溝付き板９は移動軸７（軸部７２）の移動方向とは反対方向である、長孔部５２ａ内で矢印Ｂ方向へ移動する。
【００７３】
そして、図２１（ｅ）に示すように、この移動軸７（軸部７２）が傾斜溝９３ｈと直線溝９３ｉと交差位置である溝部９３の頂点９３４に到達したところで映像音響操作機器やコンピュータの周辺機器等１０を開放する。映像音響操作機器やコンピュータの周辺機器等１０を開放することで、映像音響操作機器やコンピュータの周辺機器等１０を持ち上げるのを止めることで、移動軸７（軸部７２）が図２１（ｅ）に示す矢印ｉ方向へ移動する。
【００７４】
そして、角部θ４の（頂点を含めた）部分は傾斜溝９３ｈ側寄りに形成され、直線溝９３ｉ側を広く形成しているため、進行すべきでない方向である傾斜溝９３ｈが狭くなり、進行すべき方向である直線溝９３ｉが広くなり、移動した移動軸７（軸部７２）は傾斜溝９３ｈに連続する傾斜溝９３ｉを移動する。このとき、溝付き板９は移動しない。
【００７５】
そして、直線溝９３ｉを移動した移動軸７（軸部７２）は、図２１（ｆ）に示すように、矢印ｊ方向に沿って傾斜溝９３ｊを移動する。この移動軸７（軸部７２）の傾斜溝９３ｊ内の移動に伴い、移動軸７（軸部７２）の移動による押圧（傾斜溝９３ｊ方向に沿う押圧）が溝付き板９に加わる。そのため、溝付き板９は移動軸７（軸部７２）の移動方向とは反対方向である、長孔部５２ａ内で矢印Ａ方向へ移動する。
【００７６】
そして、図２１（ｆ）に示すように、この移動軸７（軸部７２）が傾斜溝９３ｊと直線溝９３ａとの連結位置である溝部９３の頂点９３１に到達する（収納位置）。この頂点９３１に到達したときに、映像音響操作機器やコンピュータの周辺機器等１０は、図１９に示すように、はじめの状態になる。つまり、図２０（図２０の右側に示す映像音響操作機器やコンピュータの周辺機器等１０）及び図１２（図１２の真中に示す映像音響操作機器やコンピュータの周辺機器等１０）に示すように、設置機器である映像音響操作機器やコンピュータ等を制御するための周辺機器等は卓面１２ａより下がった位置になる（映像音響操作機器やコンピュータの周辺機器等１０が卓天板１２内に収納された状態になる）。そして、第一内枠体５２、５２の下端側が外枠３の第二外枠体３３に最も近接（或いは、接近）した状態になる。このように映像音響操作機器やコンピュータの周辺機器等１０が収納されることにより、卓面１２には開口１２ａ１が再び現れるために、カバー１７を取り付ける（図１２参照）。
【００７７】
すなわち、例１と同様に、図２１（ａ）から（ｆ）にいたる一連の動きの中で、移動軸７（軸部７２）は溝付き板９に対して、溝部９３の逆略ハート型（逆略ハート状の形状）に従い移動するものであるが、溝付き板９が設置機器とともに垂直に移動した時に移動軸７が溝部９３の各傾斜溝９３ｂ、９３ｄ、９３ｆ、９３ｈ、９３ｊを水平方向に押し、溝付き板９を水平移動させることによって、設置機器を垂直方向に動かすことだけで、設置機器を収納位置、使用位置に交互に座することを可能にしている。
【図面の簡単な説明】
【００７８】
【図１】本発明である例１の昇降装置が映像音響操作機器やコンピュータの周辺機器等を使用位置と収納位置とに移動した状態を示す説明図である。
【図２】本発明である例１の昇降装置の外枠を示す斜視図である。
【図３】本発明である例１の昇降装置の溝付き板を示す斜視図である。
【図４】図３に示す溝付き板に設けられた溝部の説明図である。
【図５】本発明である例１の昇降装置の内枠を示す斜視図である。
【図６】外枠に溝付き板を組み込んだ状態を示す説明図である。
【図７】図６に示す外枠に内枠を組み込んだ状態を示す説明図である。
【図８】本発明である例１の昇降装置が使用位置と収納位置とにあるときの移動軸の溝部内の状態を示す説明図である。
【図９】移動軸の溝部内の移動を示す説明図である。（ａ）は、移動軸が収納位置にある状態を示す説明図である。（ｂ）は、移動軸が収納位置から頂点へ向かう状態を示す説明図である。（ｃ）は、移動軸が頂点にある状態を示す説明図である。（ｄ）は、移動軸が使用位置にある状態を示す説明図である。（ｅ）は、移動軸が頂点にある状態を示す説明図である。（ｆ）は、移動軸が収納位置にある状態を示す説明図である。
【図１０】本発明である例１の昇降装置が映像音響操作機器やコンピュータの周辺機器等を使用位置に移動した状態を示す説明図である。
【図１１】本発明である例１の昇降装置が映像音響操作機器やコンピュータの周辺機器等を収納位置に移動した状態を示す説明図である。
【図１２】本発明である例１の昇降装置の卓天板上、或いは卓天板内での使用状況を示す説明図である。
【図１３】本発明である例１の昇降装置で１個の溝付き板を用いた例を示す斜視図である。
【図１４】設置機器の外方に突出した移動軸を設けた例を示す斜視図である。
【図１５】本発明である例１の昇降装置で設置機器の外方に突出した移動軸を設けた例を示す斜視図である。
【図１６】本発明である設置機器の外方に突出した移動軸を設けた昇降装置が使用位置と収納位置とにあるときの移動軸の溝部内の状態を示す説明図である。
【図１７】本発明である例２の昇降装置の内枠に設置機器（映像音響操作機器やコンピュータの周辺機器等）を固定し、溝付き板を組み込んだ状態を示す説明図である。
【図１８】本発明である例２の昇降装置が映像音響操作機器やコンピュータの周辺機器等を使用位置に移動した状態を示す説明図である。
【図１９】本発明である例２の昇降装置が映像音響操作機器やコンピュータの周辺機器等を収納位置に移動した状態を示す説明図である。
【図２０】本発明である例２の昇降装置が使用位置と収納位置とにあるときの移動軸の溝部内の状態を示す説明図である。
【図２１】移動軸の溝部内の移動を示す説明図である。（ａ）は、移動軸が収納位置にある状態を示す説明図である。（ｂ）は、移動軸が収納位置から頂点へ向かう状態を示す説明図である。（ｃ）は、移動軸が頂点にある状態を示す説明図である。（ｄ）は、移動軸が使用位置にある状態を示す説明図である。（ｅ）は、移動軸が頂点にある状態を示す説明図である。（ｆ）は、移動軸が収納位置にある状態を示す説明図である。
【図２２】従来の機構である収納部における作用を示す説明図である。
【図２３】従来の機構である収納部における作用を示す説明図である。
【図２４】従来の機構である収納部からキーボードを取り出した状態を示す斜視図である。
【符号の説明】
【００７９】
１、１００、２００…昇降装置、１ａ…開口
３…外枠、３２…第一外枠体、３２ａ…長孔部、３２ａ１…端部、３１、３３…第二外枠体、
５…内枠、５１…第二内枠体、５１ａ…孔部、５１ｂ…ボルト、５２…第一内枠体、５２ａ…長孔部
７…移動軸、７１…頭部、７２…軸部
９…溝付き板、９１…端部、９２…略Ｖ字状の凹部、９３…溝部、９３ａ、９３ｃ、９３ｅ、９３ｇ、９３ｉ…直線部分（直線溝）、９３ｂ、９３ｄ、９３ｆ、９３ｈ、９３ｊ…傾斜部分（傾斜溝）、９３１…頂点（収納位置）、９３２…頂点、９３３…頂点（使用位置）、９３４…頂点
１０…映像音響操作機器やコンピュータの周辺機器等
１２…卓天板、１２ａ…卓面、１２ａ１…開口、１２ｂ…裏面
１３…滑り材
１５…滑り材受け
１７…カバー
θ１、θ２、θ３、θ４…角部
【図１】
2008006114.tif 000003
【図２】
2008006114.tif 000004
【図３】
2008006114.tif 000005
【図４】
2008006114.tif 000006
【図５】
2008006114.tif 000007
【図６】
2008006114.tif 000008
【図７】
2008006114.tif 000009
【図８】
2008006114.tif 000010
【図９】
2008006114.tif 000011
【図１０】
2008006114.tif 000012
【図１１】
2008006114.tif 000013
【図１２】
2008006114.tif 000014
【図１３】
2008006114.tif 000015
【図１４】
2008006114.tif 000016
【図１５】
2008006114.tif 000017
【図１６】
2008006114.tif 000018
【図１７】
2008006114.tif 000019
【図１８】
2008006114.tif 000020
【図１９】
2008006114.tif 000021
【図２０】
2008006114.tif 000022
【図２１】
2008006114.tif 000023
【図２２】
2008006114.tif 000024
【図２３】
2008006114.tif 000025
【図２４】
2008006114.tif 000026